(57)【要約】【課題】本発明は、厚層客土を形成するため、法面上に敷設される金網において、施工後比較的早期に金網を構成する素線の一部が腐蝕しやすくなるような金網を提供することを課題とする。【解決手段】金網を構成する素線の一部、例えば菱形金網であれば、１本又は数本おきに鉄よりイオン化傾向の大きい金属メッキ線とイオン化傾向の小さい金属メッキ線により金網を編織し、本発明の植生工用金網を構成する。【選択図】        図１
2004183265.tif 000002
【特許請求の範囲】
【請求項１】
法面に敷設した、客土の滑落を防止する目合いを有する鉄製金網であって、金網を構成する素線の一部を鉄よりイオン化傾向の小さい金属でメッキし、経時的に脆弱性が付与された素線を使用することを特徴とする植生工用金網。
【発明の詳細な説明】
【０００１】
【発明の属する技術分野】
本発明は、厚層客土を形成するために、法面上に敷設される樹木導入用の植生工用の金網に関するものである。
【０００２】
【従来技術】
【特許文献１】特開平６−２５７１５８号
【特許文献２】特開平８−４０１４号
【０００３】
安定した強固な厚層客土を形成するために法面に敷設される菱形金網は比較的目合いが小さく、導入された樹木が成長するに従い生長が阻害されることがある。
【０００４】
法面に敷設された菱形金網は主に亜鉛メッキによる防錆処理が施されているため、施工後相当期間法面上にそのまま残る。その目合いは概ね５ｃｍ程度であるが、例えば、コナラ、ミズナラ、カシ類、ネムノキ、マツ類、クヌギのような金網の目合いよりも径が大きくなる樹木ではその目合いによって確実に圧迫を受け生長が阻害される。
【０００５】
このような金網の目合いによる樹木の圧迫を避けるために、目合いを大きく設定することが考えられるが、目合いが大きいと、厚層客土の保持力が低下し、例えば、傾斜が急な法面や起伏のある法面等に厚層客土を安定的に定着することができなくなる。
【０００６】
【従来の技術およびその解決課題】
本発明は、厚層客土を形成するため、法面上に敷設される金網において、施工後比較的早期に金網を構成する素線の一部が腐蝕しやすくなるような金網を提供することを課題とする。
【０００７】
【課題を解決するための手段】
本発明は上述の課題を解決するための手段を以下のように構成している。即ち、請求項１の発明では、法面に敷設した、客土の滑落を防止する目合いを有する鉄製金網であって、金網を構成する素線の一部を鉄よりイオン化傾向の小さい金属でメッキし、経時的に脆弱性が付与された素線を使用した金網を使用するものである。
【０００８】
鉄よりイオン化傾向の小さい金属で鉄線素線をメッキすると、この金属自体はイオン化傾向が小さいために錆び難いが、通常のメッキは鉄素線の表面を完全に且つ、均質な厚さで被覆されることは少なく、メッキの被覆が薄くなったり、ピンホール状のメッキされない部分ができる。この場合、鉄が露出することになるが、この露出部分の鉄はイオン化傾向の小さい金属との接触面から激しく腐食する。これは、上記の金属よりイオン化傾向の大きい鉄の腐食が促進されることによる。即ち、この鉄と鉄よりイオン化傾向の小さい金属の接触面において、鉄をマイナス、イオン化傾向の小さい金属をプラスとする電池（局部電池）が形成されて、電子の受け渡しと共に鉄の腐食が進行することによる。
【０００９】
本発明は、この原理を応用し、金網を構成する素線の一部、例えば菱形金網であれば、１本又は数本おきに鉄よりイオン化傾向の大きい金属メッキ線とイオン化傾向の小さい金属メッキ線により金網を編織し、本発明の植生工用金網を構成する。
【００１０】
以上の金網を、植生工用、即ち厚層客土の客土安定材として使用すると、厚層客土により導入した樹木が生長して、幹部が肥大する頃には、金網を構成する素線の一部（鉄よりイオン化傾向の小さい金属によるメッキ素線）が腐食し、樹木幹部の肥大生長を阻害することがなく、導入樹木は順調に生育する。
【００１１】
【発明の実施の形態】
以下本発明の植生工用の金網の実施形態を図面に基づいて詳細に説明する。
図１は本発明の植生工用金網１の拡大図で、２ａは例えば、鉄よりイオン化傾向の小さい銅をメッキした鉄線材、２ｂは鉄よりイオン化傾向の大きい亜鉛をメッキした鉄線材、３はその２ａ、２ａもしくは２ａ、２ｂ、更には２ｂ、２ｂによって画成された目合である。
【００１２】
図２は銅メッキした鉄線材２の断面拡大模式図で、４は銅メッキによる被覆層、５は銅メッキのピンホール状の鉄線の露出部分である。
【００１３】
上記の線材を編み合わせた金網（図３参照）は、図示は省略するが、法面に敷設されてアンカー等により固定され、その上に、種子、土壌改良材、肥料、有機質材等が配合された植生基材がモルタル吹付機等の吹付手段で吹付けられ、法面上に金網と一体の強固な厚層客土が形成され、種子が流亡や凍上を免れて健全に生育する。図３では、編織線材２本おきに銅メッキ鉄線２ａと亜鉛メッキ鉄線２ｂを交互に編織して菱形金網を形成している。
【００１４】
この金網１は、施工後数年間は厚層客土を定着させるために必要な強度を有し、種子が発芽して樹木として生長する頃には、銅メッキが施された鉄線２ａが腐食をはじめ、脆弱となり、樹木の幹部の肥大生長を阻害することがなくなる。
【００１５】
図４（銅メッキと亜鉛メッキをそれぞれ４本おきに施している）では、導入した種子から発芽生育し、樹木６の幹部が肥大生長した状況を示しており、樹木６の幹部が肥大生長する頃に、銅メッキした鉄線２ａが脆弱となり、やがては、幹部周辺の線材が樹木の肥大生長の力により、破断されるので、樹木の生育を阻害することがなくなった。
【００１６】
以上の説明では、鉄線を被覆するメッキにおいて、通常形成されるメッキのピンホール部分における局部電池現象による鉄線の腐食を利用した、鉄線の腐食脆弱化により、樹木の幹部の肥大生長が阻止されないようにしたが、もっと積極的に、鉄線に施された銅メッキの適宜の箇所を傷つけ、上記の局部電池現象を確実に惹起する方法も有効である。こうすると樹木幹部の肥大生長の阻害を確実に解消することができる。
【００１７】
上記の説明では、主に鉄よりイオン化傾向の小さい銅メッキについて説明したが、その他の鉄よりイオン化傾向の小さい金属、例えば、ニッケル、銀、金等においても同様の現象が惹起され、上記の銅と同様効果を奏する。
【００１８】
本発明に使用できる金網として、主として菱形金網について説明したが、菱形金網以外に、図示しないが、亀甲金網においても同様に使用可能である。
【００１９】
【発明の効果】
本発明は、以上説明したように、金網の一部が腐食により比較的早期に破断され易い部分を形成したので、施工後法面上に厚層客土が定着するまでは充分な強度を有し、流亡や凍上を防止し、樹木が生長する頃には目合いの一部が破断もしくは脆弱化し、樹木に対する拘束がなくなり樹木を無理なく生長させることができる。
【図面の簡単な説明】
【図１】本発明の植生工用金網の格大図である。
【図２】本発明に使用される銅メッキを施された鉄線断面の拡大模式図である。
【図３】本発明の植生工用金網の斜視図である。
【図４】本発明の植生工用金網を使用し、樹木が金網の目合いを破断して成長した状態を示す斜視図である。
【符号の説明】
１・…金網、２ａ・…銅メッキ鉄線、２ｂ・…亜鉛メッキ鉄線。
【図１】
2004183265.tif 000003
【図２】
2004183265.tif 000004
【図３】
2004183265.tif 000005
【図４】
2004183265.tif 000006